【手続補正書】
【提出日】令和1年8月13日(2019.8.13)
【手続補正１】
【補正対象書類名】明細書
【補正対象項目名】０００６
【補正方法】変更
【補正の内容】
【０００６】
この電流リップルの影響を少なくするために、各チョッパ回路の出力電流のサンプリング値を移動平均した値を検出電流として電流制御を行い、この電流制御で算出した指令電圧と、３６０度をチョッパ回路の台数で除算した値を位相差とした各チョッパ回路のＰＷＭキャリア信号とを比較してゲート指令を出力し、サンプリング間隔をＰＷＭキャリア信号と同期させる並列多重チョッパ装置が提案されている（文献１参照）。
【手続補正２】
【補正対象書類名】明細書
【補正対象項目名】００１２
【補正方法】変更
【補正の内容】
【００１２】
図１５（ａ）、（ｂ）は、指令電圧Ｖref及び出力電圧Ｖout、キャリア信号の三角波信号（triangle）及び制御量（ＭＶ）、ゲート信号（Gate1, Gate2）、インダクタンス電流ｉLを示し、図１５（ｃ）は指令電圧Ｖref及び出力電圧Ｖout、キャリア信号の三角波信号（triangle）及び制御量（ＭＶ）、インダクタンス電流ｉLを示している。
【手続補正３】
【補正対象書類名】明細書
【補正対象項目名】００４４
【補正方法】変更
【補正の内容】
【００４４】
【図１】本発明の電源装置の概略構成例を説明するための図である。
【図２】本発明の第１の電源装置の概略構成例を説明するための図である。
【図３】本発明のキャリア信号を用いたパルス幅変調部を備えた概略構成例を説明するための図である。を示している。
【図４】本発明のキャリア信号を用いたパルス幅変調部を備えた一構成例を説明するための図である。
【図５】本発明の電源装置の２相制御のサンプリング点を説明するための図である。
【図６】本発明の電源装置の２相制御によるゲート信号の生成を説明するためのフローチャートである。
【図７】本発明の電源装置の２相制御によるゲート信号の生成、及び出力電圧のジッタを説明するための図である。
【図８】本発明の電源装置の３相制御のサンプリング点を説明するための図である。
【図９】本発明の電源装置の３相制御によるゲート信号の生成を説明するためのフローチャートである。
【図１０】本発明の電源装置の３相制御のサンプリング点を説明するための図である。
【図１１】本発明の第２の形態の電源装置の概略構成例を説明するための図である。
【図１２】本発明の第２の形態のゲート信号の生成を説明するためのフローチャートである。
【図１３】本発明の第２の形態の制御量およびゲート信号のタイミングチャートを説明するための図である。
【図１４】パルス幅変調（ＰＷＭ制御）部による降圧チョッパ回路の回路構成を説明するための図である。
【図１５】単相降圧チョッパ回路で発生するジッタを説明するための図である。
【手続補正４】
【補正対象書類名】明細書
【補正対象項目名】００６７
【補正方法】変更
【補正の内容】
【００６７】
Ａ相ゲート信号生成部２０Ａにおいて、パルス幅変調部２０Ａｂは、移相部２０Ａｃで移相した制御量ＭＶを三角波のキャリア信号と振幅比較することによってゲート信号を生成する。なお、三角波は、波形の立ち上がり及び立ち下がりにおいて振幅が直線状の増減する波形形状や、波形の立ち上がりでは振幅がステップ状に立ち上がり、立ち下がりでは振幅が直線状に減少する波形形状の歯状波等、振幅が直線状に変化する任意の波形形状とすることができる。
【手続補正５】
【補正対象書類名】明細書
【補正対象項目名】００６８
【補正方法】変更
【補正の内容】
【００６８】
図３に示す構成では、位相調整部２０Ｃによって、各パルス幅変調部２０Ａｂ、２０Ｂｂ、…２０Ｎｂに供給するキャリア信号の位相を調整し、各パルス幅変調部２０Ａｂ、２０Ｂｂ、…２０Ｎｂから出力されるゲート信号間に位相ずれを形成する。
【手続補正６】
【補正対象書類名】明細書
【補正対象項目名】００９９
【補正方法】変更
【補正の内容】
【００９９】
指令電圧Ｖrefの変更後、Ａ相のサンプリング点kAが現れた場合には（S24）、Ａ相を基準相とし(S25)、制御量ＭＶとＡ相のキャリア信号とを振幅比較してＡ相のゲート信号GateAを生成する（S26）。基準相であるＡ相の制御量ＭＶの位相を２π／３ずらす移相を行い、Ｂ相の制御量ＭＶ-Bを生成する（S27）。生成した制御量ＭＶ-BとＢ相のキャリア信号とを振幅比較してＢ相のゲート信号GateBを生成する（S28）。基準相であるＡ相の制御量ＭＶの位相を４π／３（＝２・（２π／３））ずらす移相を行い、Ｃ相の制御量ＭＶ-Cを生成する（S29）。生成した制御量ＭＶ-CとＣ相のキャリア信号とを振幅比較してＣ相のゲート信号GateCを生成する（S30）。
【手続補正７】
【補正対象書類名】明細書
【補正対象項目名】０１００
【補正方法】変更
【補正の内容】
【０１００】
指令電圧Ｖrefの変更後、Ｂ相のサンプリング点kBが現れた場合には（S24）、Ｂ相を基準相とし(S31)、制御量ＭＶとＢ相のキャリア信号とを振幅比較してＢ相のゲート信号GateBを生成する（S32）。基準相であるＢ相の制御量ＭＶの位相を２π／３ずらす移相を行い、Ｃ相の制御量ＭＶ-Cを生成する（S33）。生成した制御量ＭＶ-CとＣ相のキャリア信号とを振幅比較してＣ相のゲート信号GateCを生成する（S34）。基準相であるＢ相の制御量ＭＶの位相を４π／３（＝２・（２π／３））ずらす移相を行い、Ａ相の制御量ＭＶ-Aを生成する（S35）。生成した制御量ＭＶ-AとＡ相のキャリア信号とを振幅比較してＡ相のゲート信号GateAを生成する（S36）。
【手続補正８】
【補正対象書類名】明細書
【補正対象項目名】０１２９
【補正方法】変更
【補正の内容】
【０１２９】
１      電源装置
１０    制御部
２０    ゲート信号生成部
２０Ａ  Ａ相ゲート信号生成部
２０Ａａ  位相調整部
２０Ａｂ-２０Ｎｂ  パルス幅変調部
２０Ａｃ-２０Ｎｃ  移相部
２０Ｂ  Ｂ相ゲート信号生成部
２０Ｂａ  位相調整部
２０Ｂｂ  パルス幅変調部
２０Ｃａ  位相調整部
２０Ｎ  Ｎ相ゲート信号生成部
２０ａ  位相調整部
２０ｂ  パルス幅変調部
２０ｃ  移相部
２０ｄ  キャリア信号生成部
３０    チョッパ部
３０Ａ〜３０Ｎ  降圧チョッパ回路
Ｇａｔｅ１  ゲート信号
Ｇａｔｅ２  ゲート信号
GateA    ゲート信号
GateB    ゲート信号
GateC    ゲート信号
ｉC      コンデンサ電流
ｉL      インダクタンス電流
ｉl      インダクタンス電流
ｉL-A    インダクタンス電流
ｉL-B    インダクタンス電流
Jitter    時間幅
K        サンプリング点
kA      サンプリング点
kB      サンプリング点
kC      サンプリング点
ＬA      インダクタンス
ＬB      インダクタンス
ＭＶ      制御量
ＭＶ-A    制御量
ＭＶ-B    制御量
ＭＶ-C    制御量
Ｓ１，Ｓ２  スイッチング素子
Ｓ１Ａ      スイッチング素子
Ｓ１Ｂ      スイッチング素子
Ｓ２Ａ      スイッチング素子
Ｓ２Ｂ      スイッチング素子
Ｖout      出力電圧
Ｖref      指令電圧
【手続補正９】
【補正対象書類名】図面
【補正対象項目名】図２
【補正方法】変更
【補正の内容】
【図２】
2018107886.tif 000001
【手続補正１０】
【補正対象書類名】図面
【補正対象項目名】図３
【補正方法】変更
【補正の内容】
【図３】
2018107886.tif 000002
【手続補正１１】
【補正対象書類名】図面
【補正対象項目名】図１１
【補正方法】変更
【補正の内容】
【図１１】
2018107886.tif 000003